(57)【要約】【課題】  本発明の目的は、温排水・工業用薬液・医薬用液などの流体を熱交換するのに適した管式熱交換器を提供することにある。【解決手段】  本発明は、伝熱管、胴体が軟質の高分子化合物とした二重管式熱交換器を、渦巻状など自在な形状に結束した熱交エレメントとし、この熱交エレメントを水平集合や垂直集合に共用できる構造の筐体に格納した管式熱交換器とし、流体の熱容量に応じこの管式熱交換器を段階的に増加させながら任意の形態の集合体に構築することが出来ることを特徴とする。【選択図】  図１
2011012888.tif 000002
【特許請求の範囲】
【請求項１】
伝熱管を内包する外筒を胴体とし胴体の両端には伝熱管の管内外面流体の導入と排出を行うための接続チャンバーを設け、伝熱管と胴体は軟質合成高分子化合物からなる二重管式熱交換器と、該二重管式熱交換器を自在な任意の形状に結束組立した熱交エレメントと、該熱交エレメントを収納する筐体は水平集合と垂直集合に供用できる機能を備え、熱交換容量に応じて段階的に増減させて集合体に構築することができることを特徴とした管式熱交換器とその製法。
【請求項２】
請求項１において、前記匡体内部面と前記熱交エレメント外表面との間隙に断熱機能を有する材料を充填した構造としたことを特徴とした管式熱交換器。
【請求項３】
請求項１において、前記伝熱管の管内外面を流動する流体の管路に圧力変動を付与する圧力調整器を設け、伝熱管に膨脹・収縮などの変形が強制される機能としたことを特徴とした管式熱交換器。
【請求項４】
請求項１において、前記匡体を集合体に構築し易い剛体で量産化が可能な硬質合成樹脂材としたことを特徴とした管式熱交換器。
【発明の詳細な説明】
【技術分野】
【０００１】
本発明は、高温熱量の流体と低温熱量の流体を直接混合させないで、伝熱面を介して熱移動させることを主体とした熱交換器に関するものである。
【背景技術】
【０００２】
宿泊施設や集合住宅などから出る温排水、温泉施設から出る温泉水や温排水、温水プールや浴場から出される温排水など従来未使用で捨てられていた熱エネルギーを有効に活用できる低廉な熱回収システムが要望されている。この熱回収システムの主体をなす熱交換器に関するものである。
【０００３】
医療装置分野や半導体関連産業分野では流体の純度を維持しながら微小な温度管理ができ、軽量で流体の特質を損なわない低廉で多様性のある熱交換システムが要望されている。この熱交換システムの主体をなす熱交換器に関するものである。
【先行技術文献】
【特許文献】
【０００４】
【特許文献１】実開昭６２−８８１７３号公報（実願昭６０−１７８７３４）
【発明の概要】
【発明が解決しようとする課題】
【０００５】
特許文献１に示された簡易型フッ素樹脂製熱交換器では、外部配管と内管が一体化されて外部配管の途中に簡単に取付けられるもので、熱交換容量が限られた範囲の場合に適用できるが、配管径が大きくなり流体が大量流入する場合には不適合である。またこの二重管式熱交換器は内管または外管は硬質の樹脂材で剛性を有するものとなっているため、熱交換器の形状が制約されるものであり、一定容量を持った熱交換器を自在な形状に成型し台数増加で容量の増大に対処するなどの方策がとれにくい。
【０００６】
本発明の目的は、温排水・工業用薬液・医薬用液などの流体を熱交換するのに適した管式熱交換器を提供することにある。
【課題を解決するための手段】
【０００７】
本発明は、伝熱管、胴体が軟質の高分子化合物とした二重管式熱交換器を渦巻状など自在な形状に結束した熱交エレメントとし、この熱交エレメントを水平集合や垂直集合に共用できる構造の筐体に格納した管式熱交換器とし、流体の熱容量に応じこの管式熱交換器を段階的に増加させながら水平・垂直の集合体に構築することが出来ることを特徴とする。
【０００８】
前記管式熱交換器は、伝熱管を可撓性のある軟質の高分子化合物（例えば、ポリプロピレン系のチューブ、架橋ポリエチレン系のチューブ、その他）の可撓性のある軟質の高分子化合物であり、この伝熱管は流体側から与えた脈動圧や圧力変動によって膨張・収縮による変形が容易に生じやすくしたことを特徴とする。
【０００９】
前記管式熱交換器は、筐体内面と熱交エレメント外表面との間隙に断熱機能を有する材料を充填したことを特徴とする。
【００１０】
前記筐体は、水平集合や垂直集合での運転条件に耐える剛性をもった構造体で、量産化に対応できる必要があるため耐熱性や断熱効果のある硬質の合成樹脂材とすることを特徴とする。
【００１１】
前記胴体は、外表面に断熱効果のある可撓性の有る材料で被覆した構造とすることが好ましい。
【発明の効果】
【００１２】
本発明によれば、広い分野で使われている熱回収システムの主体となる管式熱交換器を、伝熱管、胴体の材質を熱交換流体の特性に対応した合成高分子化合物を主体とした軟質の種々の管材から選定し、熱交換流体の特性に合わせた安価で軽量な一定の熱交換容量を持った管式熱交換器を量産化できるので、医療装置分野、半導体関連分野、温排水分野や化学プラントなどの分野の管式熱交換器として広い範囲での実用が可能となる。
【図面の簡単な説明】
【００１３】
【図１】本発明に係る管式熱交換器の一部水平方向の断面を有する平面図（ａ）とその横断面図（ｂ）。
【図２】本発明に係わる管式熱交換器の熱交換エレメントを、二重の渦巻形状に成形する場合を示す平面図。
【図３】本発明に係わる管式熱交換器の熱交換エレメント熱交換エレメントを示す平面図。
【図４】本発明に係わる管式熱交換器を水平方向に集積した場合を示す斜視図。
【発明を実施するための形態】
【００１４】
図１は本発明に係る管式熱交換器の構造を示す一部縦方向に切断した断面平面図（ａ）とその横断面（ｂ）である。図１に示すように、本実施例の管式熱交換器は、伝熱管１と胴体２が接続チャンバー３に固着された２重管式熱交換器で、この２重管式熱交換器を渦巻状の形態に造形して組立物とした熱交エレメント（イ）と、この熱交エレメントを収納する筐体１０には接続チャンバーが組み込まれる組込部１０ａと、筐体が水平設置にも適するように剛性を持った底板部１０ｂと、熱交エレメントの中央部を支える突起部１０ｃが設けられている。筐体の組込部１０ａに熱交エレメントの接続チャンバーに付属する固定台４を固着したのち筐体の蓋板１１が取付けられる。
【００１５】
本実施例では、伝熱管内を流れる流体は導入管５ａより導入され伝熱管１の内面を通って排出管５ｂに排出される。伝熱管外を流れる流体は導入管６ａより導入され胴体２の内面側を通って排出管６ｂに排出される。この流動状態によって伝熱管内外面で流体の熱交換が行われる管式熱交換器で、流体の特性や熱交換条件に合わせ流体の流れ方向は自在に選定することができる。
【００１６】
又、熱交エレメント（イ）の外表面と筐体１０の内表面の隙間部１２には断熱材や凍結防止材を挿入することもできる。
【００１７】
図２は、本発明に係わる管熱交換器の熱交エレメントを、二重の渦巻形状に成型する過程を示す平面図である。胴体２の両端には伝熱管１の管内外面流体の導入と排出を行うための接続チャンバー３を設け、伝熱管と胴体は軟質合成高分子化合物からなる二重管式熱交換器を、巻付け胴７の外面に巻き込んで成形する状態を示す。
【００１８】
図３は、本発明に係わる管熱交換器の熱交換エレメントを組立てした状態を示す平面図である。巻付け胴７の外面に巻き込んで成形されたものを網８などによって結束し熱交エレメントに組立てる。この単体状態で耐圧及び気密試験や清浄化作業を行い熱交エレメントの信頼性の確保がされる。
【００１９】
図４は、本発明に係わる管式熱交換器を水平方向に集積した場合を示す斜視図である。一定の熱交換容量を持った標準的な管式熱交換器を、要求される熱交換容量にあわせ水平方向に集積した場合の一事例を示し、管式熱交換器に導入される伝熱管内を通る流体は母管２１ａから流体導入管４ａに分配され伝熱管内部を貫流し、排出管４ｂを流れて母管２１ｂに合流する。胴体内部を通る流体は母管２２ａより分岐された導入管５ａに分配され胴体内部を流れ排出管５ｂを通り母管２２ｂに合流される。
【００２０】
本実施例では、伝熱管の内外面の流体が熱交換器に導入や排出される管路（４ａ、４ｂ，５ａ，６ｂなど）に、これら流体の圧力変動を生じさせる圧力調整器２０を設けて伝熱管の内外に流動圧力の変化を生じせしめ、軟質な合成高分子化合物の伝熱管が膨張や収縮などの作用により変径させることにより、伝熱管内外面に生成された付着物が剥離する現象を生じさせて表面生成物を除去する機能が付与されている。このため軟質な合成高分子化合物の伝熱管は表面の汚れが比較的に着きにくい特性を有するが更に伝熱管の変形作用によって防汚機能の向上が図られることを特徴とする。
【００２１】
この管式熱交換器は従来の熱交換器と対比して著しく軽量化されると同時に低廉なものとなり、産業界のみならず医療分野では血液や薬液の温度調整用熱交換器、家庭用としては調理用液体の温度調整用熱交換器など新分野への適用拡大が期待できる。
【符号の説明】
【００２２】
１  伝熱管
２  胴体
３  管（ａ導入、ｂ排出）
４  管（ａ導入、ｂ排出）
５  接続チャンバー
１０  筺体（ａ組込み部、ｂ底板部、ｃ突起部、ｄ組付け孔）
２０  圧力調整器
２１  母管（ａ導入、ｂ排出）
２２  母管（ａ導入、ｂ排出）
２４  固定金具
イ    熱交エレメント
【図１】
2011012888.tif 000003
【図２】
2011012888.tif 000004
【図３】
2011012888.tif 000005
【図４】
2011012888.tif 000006
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
伝熱管と胴体は軟質合成高分子化合物からなる二重管式熱交換器において、該二重管式熱交換器を自在な形状に巻付け胴に巻き込んで結束成形した熱交エレメントとし、該熱交エレメントの形態で所定の機能検証を施したのち、水平集合と垂直集合に共用できる高分子化合物からなる筺体に該熱交エレメントを格納して熱交換器を構成せしめ、該熱交換器を熱容量に応じて段階的に増減させて集合体を構築することが出来ることを特徴とした管式熱交換器とその製法。
【請求項２】
請求項１において、前期筺体内部面と前期熱交エレメント外表面との間隙に断熱機能を有する材料を充填した構造としたことを特徴とした管式熱交換器。
【請求項３】
請求項１において、前記伝熱管の内外面を流動する流体の管路に圧力変動を付与する圧力調整器を設け、伝熱管に膨張・収縮などの変形が強制される機能としたことを特徴とした管式熱交換器。
【請求項４】
請求項１において、前記筺体を集合体に構築し易い剛体で量産化が可能な硬質合成樹脂材としたことを特徴とした管式熱交換器。
【手続補正２】
【補正対象書類名】明細書
【補正対象項目名】０００７
【補正方法】変更
【補正の内容】
【０００７】
本発明は伝熱管、胴体が軟質の合成高分子化合物とした二重管熱交換器を、渦巻状などの自在な形状に巻付け胴に巻き込んで結束組立てした熱交換エレメントとすることにより、この熱交エレメントの形態で伝熱特性試験や、耐圧・気密等の漏洩試験及び、高度な洗浄・滅菌作業など所定の作業を施して信頼性を高めたのち、この熱交エレメントを水平集合と垂直集合に共用できる高分子化合物からなる筺体に格納して熱交換器を構成せしめ、この熱交換器を熱容量に応じて段階的に増減させて集合体を構築することが出来ることを特徴とする。
【手続補正３】
【補正対象書類名】明細書
【補正対象項目名】００１２
【補正方法】変更
【補正の内容】
【００１２】
【図１】本発明に係わる管式熱交換器の一部水平方向の断面を有する平面図（ａ）とその横断面図（ｂ）。
【図２】本発明に係わる管式熱交換器の熱交エレメントを、二重の渦巻形状に成形する場合を示す平面図。
【図３】本発明に係わる管式熱交換器の熱交エレメントを示す平面図。
【図４】本発明に係わる管式熱交換器を水平方向に集積した場合を示す斜視図。
【手続補正４】
【補正対象書類名】明細書
【補正対象項目名】００１７
【補正方法】変更
【補正の内容】
【００１７】
図２は本発明に係わる管式熱交換器の熱交エレメントを、二重の渦巻形状に成形する過程を示す平面図である。胴体２の両端には伝熱管１の管内外面流体の導入と排出を行うための接続チャンバー３を設け、伝熱管と胴体は軟質合成高分子化合物からなる二重管式熱交換器を、巻付け胴７の外面に巻き込んで成形する状態を示す。
【手続補正５】
【補正対象書類名】明細書
【補正対象項目名】００１８
【補正方法】変更
【補正の内容】
【００１８】
図３は本発明に係わる管式熱交換器を熱交エレメントに成形結束した状態を示す平面図である。巻付け胴７の外面に巻き込んで成形されたもの（図２の形態）を網８などによって結束し熱交エレメントに組立てる。この単体状態で耐圧および気密試験、清浄化作業など熱交換器として必要な機能検証を行い熱交エレメントの信頼性が確保される。
【手続補正書】
【提出日】平成22年6月8日(2010.6.8)
【手続補正１】
【補正対象書類名】明細書
【補正対象項目名】全文
【補正方法】変更
【補正の内容】
【発明の詳細な説明】
【技術分野】
【０００１】
本発明は、高温熱量の流体と低温熱量の流体を直接混合させないで、伝熱面を介して熱移動させることを主体とした熱交換器とその製法に係り、特に水平集合あるいは垂直集合して複数で構成するとき、筐体内部に収納した二重管構造の熱交エレメントの結束固定に関するものである。
【背景技術】
【０００２】
宿泊施設や集合住宅などから出る温排水、温泉施設から出る温泉水や温排水、温水プールや浴場から出される温排水などは、従来、そのままの未使用で捨てられていたところ、その有効利用を図るべく、温排水中の熱エネルギーを有効に活用できる低廉な熱回収システムが要望されている。
【０００３】
また、医療装置分野や半導体関連産業分野では、流体の純度を維持しながら微小な温度管理ができ、流体の特質を損なわない軽量、低廉で多様性のある熱交換システムが要望されてもいる。
【先行技術文献】
【特許文献】
【０００４】
【特許文献ｌ】実願昭６０−１７８７３４号（実開昭６２−８８１７３号公報）のマイクロフィルム
【発明の概要】
【発明が解決しようとする課題】
【０００５】
特許文献ｌに示された簡易型フッ素樹脂製熱交換器では、外管と内管とがスペーサを介して一体化されている二重管構造のものであるから、熱交換容量が限られた範囲の場合に適用できても、配管径が大きくなり流体が大量流入する場合には不適合である。またこの二重管式熱交換器は、内管または外管はフッ素樹脂の硬質樹脂材で剛性を有するものとなっているため、熱交換器の形状が制約されるものであり、一定容量を持った熱交換器を自在な形状に成型し、その台数増加で熱容量の増大に対処することは困難である。
【０００６】
本発明の目的は、温排水・工業用薬液・医薬用液などの流体を熱交換するのに適し、その熱容量の大小・多寡によって複数で構成すべく水平集合あるいは垂直集合形態とするときの筐体内部に収納する熱交エレメントを結束固定する管式熱交換器とその製法を提供することにある。
【課題を解決するための手段】
【０００７】
本発明に係る管式熱交換器は、伝熱管を内包する外筒を胴体とし、胴体の両端には伝熱管の管内外面流体の導入、排出を行うための接続チャンバーを設けると共に、伝熱管と胴体とは軟質合成高分子化合物によって形成した二重管式熱交換器と、該二重管式熱交換器を自在な任意の形状に巻付け胴に巻き付けて組み立てた熱交エレメントを結束固定する覆い網と、該熱交エレメントを収納して水平集合あるいは垂直集合に供用できる機能を備え、熱交換容量に応じて段階的に増減させて集合体に構築する筐体と、筐体と熱交エレメントとの隙間部に充填する断熱材とを備えて成ることを特徴とする。
【０００８】
また、その製法は、伝熱管を内包する外筒を胴体として、胴体の両端には伝熱管の管内外面流体の導入、排出を行うための接続チャンバーを設けると共に、伝熱管と胴体とは軟質合成高分子化合物にて形成した二重管式熱交換器を構成し、該二重管式熱交換器を巻付け胴に自在な任意の形状に巻き付け、覆い網によって結束固定して熱交エレメントを組み立て、次いで所定の機能検証を施した後、水平集合あるいは垂直集合に供用できる機能を備えた筐体内に断熱材を充填して熱交エレメントを収納し、該熱交エレメントを収納した筐体を熱交換容量に応じて段階的に増減させて集合体に構築することを特徴とする。
【０００９】
すなわち、本発明は、伝熱管、胴体が軟質の合成高分子化合物とした二重管熱交換器を、渦巻状などの自在な形状に巻付け胴に巻き込んで結束組立てした熱交エレメントとすることにより、この熱交エレメントの形態で伝熱特性試験や、耐圧・気密等の漏洩試験及び、高度な洗浄・滅菌作業など所定の作業を施して信頼性を高めたのち、この熱交エレメントを水平集合と垂直集合に共用できる高分子化合物からなる筐体に格納して熱交換器を構成せしめ、この熱交換器を熱容量に応じて段階的に増減させて集合体を構築することができることを特徴とする。
【００１０】
前記管式熱交換器において、伝熱管は可撓性のある軟質の高分子化合物（例えば、ポリプロピレン系のチューブ、架橋ポリエチレン系のチューブ、その他）であり、この伝熱管は流体側から与えた脈動圧や圧力変動によって膨張・収縮による変形が容易に生じやすくしたことを特徴とする。
【００１１】
前記管式熱交換器は、筐体内面と熱交エレメント外表面との隙間部に断熱機能を有する材料である断熱材・凍結防止材を挿入、充填したことを特徴とする。
【００１２】
前記筐体は、水平集合や垂直集合での運転条件に耐える剛性をもった構造体で、量産化に対応できる必要があるため耐熱性や断熱効果のある硬質の合成樹脂材とすることを特徴とする。
【００１３】
前記胴体は、外表面に断熱効果のある可撓性の有る材料で被覆した構造とすることが好ましい。
【発明の効果】
【００１４】
本発明によれば、広い分野で使われている熱回収システムの主体となる管式熱交換器を、伝熱管、胴体の材質を熱交換流体の特性に対応した合成高分子化合物を主体とした軟質の種々の管材から選定し、熱交換流体の特性に合わせて集合形態とすることで、安価で軽量な種々に異なる熱交換容量を持った管式熱交換器を量産化できる。
【００１５】
また、水平集合、垂直集合の形態として筐体を連結構成するとき、筐体内部の内外二重管構造の熱交エレメントは、自在な任意の形状に巻付け胴に巻き付けて組み立て、覆い網にて結束固定し、筐体内に断熱材を充填して収納するから、水平集合、垂直集合の集合形態にかかわらず、その収納形態が維持される。
【００１６】
そのため、熱交換容量が大きい医療装置分野、半導体関連分野、温排水分野や化学プラントなどの各種分野の管式熱交換器として広い範囲での実用が可能となる。
【図面の簡単な説明】
【００１７】
【図１】本発明に係る管式熱交換器を示し、その（ａ）は縦断面図、（ｂ）は一部切欠平面図である。
【図２】本発明に係る管式熱交換器の熱交エレメントを、二重の渦巻形状に成形する場合を示す一部切欠平面図である。
【図３】本発明に係る管式熱交換器の熱交エレメントを覆い網にて結束固定したときの平面図である。
【図４】本発明に係る管式熱交換器を水平集合した形態としたときの斜視図である。
【発明を実施するための形態】
【００１８】
図１は本発明に係る管式熱交換器の構造を示す縦断面図（図１（ａ）参照）と、その一部切欠平面図（図１（ｂ）参照）とである。図１に示すように、本実施の形態における管式熱交換器は、内部に配置した伝熱管１と、該伝熱管１を囲うように外部に配置した胴体２とが接続チャンバー３に固着されることで形成した二重管式熱交換器構造としてあり、この二重管式熱交換器を渦巻状の形態に造形して組立物とした熱交エレメントＥと、この熱交エレメントＥを収納する筐体１０とから構成されている。また、筐体１０には、接続チャンバー３が組み込まれる組込部１０ａと、筐体１０が水平設置にも適するように剛性を持った底板部１０ｂと、熱交エレメントＥの中央部を支えるように底板部１０ｂに設けられた突起部１０ｃと、集合させて互いに固定連結するときの固定金具２４を挿通させる組付け孔１０ｄとを備えている。筐体の組込部１０ａには、熱交エレメントＥの接続チャンバー３に付属する固定台４を固着した後、筐体１０の蓋板１１が取付けられる。
【００１９】
本実施の形態では、伝熱管１内を流れる流体は伝熱管内導入管５ａより導入され、伝熱管１の内面を通って伝熱管内排出管５ｂによって排出される。伝熱管１外を流れる流体は伝熱管外導入管６ａより導入され、胴体２の内面側を通って伝熱管外排出管６ｂによって排出される。このような流動状態によって伝熱管１内外面で流体の熱交換が行われる管式熱交換器となっており、流体の特性や熱交換条件に合わせ流体の流れ方向は自在に選定することができる。
【００２０】
また、熱交エレメントＥの外表面と筐体１０の内表面との隙間部１２には、断熱材９や凍結防止材を充填挿入してある。
【００２１】
図２は、本発明に係る管式熱交換器の熱交エレメントＥを、二重の渦巻形状に成形する過程を示す平面図である。胴体２の両端には伝熱管１の管内外面流体の導入と排出とを行うための接続チャンバー３を設け、伝熱管１と胴体２とは軟質合成高分子化合物にて形成されていて、軟質となる伝熱管１、胴体２から成る二重管式熱交換器を、巻付け胴７の外面に巻き込んで成形する状態を示している。このように巻付け胴７に巻き込み成形することで、要求される一定容量の熱交換能力を備えた熱交エレメントＥとしている。
【００２２】
図３は、本発明に係る管式熱交換器の熱交換エレメントＥを組立てた状態を示す平面図である。すなわち、巻付け胴７の外面に巻き込んで成形されたもの（図２に示す形態）を、その外側から覆うようにした覆い網８などによって結束固定することで熱交エレメントＥに組立てる。この単体状態で、耐圧及び気密試験などの熱交換器として必要な機能検証を施し、また清浄化作業を行い、熱交エレメントＥの信頼性の確保が得られるようにしている。
【００２３】
図４は、本発明に係る管式熱交換器を水平方向に集積した場合の一事例を示す斜視図である。一定の熱交換容量を持った標準的な管式熱交換器を、設置場所で要求される熱交換容量にあわせて水平方向に集積したのであり、熱交エレメントＥを収納して所定数で集合させた筐体１０それぞれを、組付け孔１０ｄに挿通させた固定金具２４によって連結固定する。そして、管式熱交換器に導入される伝熱管１内を通る流体は、伝熱管内導入母管２１ａから接続チャンバー３の伝熱管内導入管５ａに分配されて伝熱管１それぞれの内部を貫流し、伝熱管内排出管５ｂを経て伝熱管内排出母管２１ｂに合流する。伝熱管１外で胴体２内部を通る流体は、伝熱管外導入母管２２ａから分岐されて、接続チャンバー３の伝熱管外導入管６ａに分配され、胴体２内部を流れて伝熱管外排出管６ｂを経て伝熱管外排出母管（図示せず）に合流される。
【００２４】
本実施の形態では、熱交エレメントＥに導入、排出される流体に対し、伝熱管１の内外面を流動させるように導入、排出する導入管５ａ，６ａ、排出管５ｂ，６ｂなどに、これら流体の圧力変動を生じさせる圧力調整器２０を設けて伝熱管１の内外に流動圧力の変化を生じせしめ、軟質な合成高分子化合物の伝熱管１が膨張や収縮などの作用により変径されることにより、伝熱管１内外面に生成された付着物が剥離する現象を生じさせて表面生成物を除去する機能が付与されている。このため軟質な合成高分子化合物の伝熱管１は表面の汚れが比較的に付着しにくい特性を有するが、更に伝熱管１の変形作用によって防汚機能の向上が図られている。
【産業上の利用可能性】
【００２５】
この管式熱交換器は従来の熱交換器と対比して著しく軽量化されると同時に低廉なものとなり、産業界のみならず医療分野では血液や薬液の温度調整用熱交換器、家庭用としては調理用液体の温度調整用熱交換器など新分野への適用拡大が期待できる。
【符号の説明】
【００２６】
Ｅ…熱交エレメント
１…伝熱管                              ２…胴体
３…接続チャンバー                      ４…固定台
５ａ…伝熱管内導入管                    ５ｂ…伝熱管内排出管
６ａ…伝熱管外導入管                    ６ｂ…伝熱管外排出管
７…巻付け胴                            ８…覆い網
９…断熱材                              １０…筐体
１０ａ…組込部                          １０ｂ…底板部
１０ｃ…突起部                          １０ｄ…組付け孔
１１…蓋板                              １２…隙間部
２０…圧力調整器                        ２１ａ…伝熱管内導入母管
２１ｂ…伝熱管内排出母管                ２２ａ…伝熱管外導入母管
２４…固定金具
【手続補正２】
【補正対象書類名】特許請求の範囲
【補正対象項目名】全文
【補正方法】変更
【補正の内容】
【特許請求の範囲】
【請求項１】
伝熱管を内包する外筒を胴体とし、胴体の両端には伝熱管の管内外面流体の導入、排出を行うための接続チャンバーを設けると共に、伝熱管と胴体とは軟質合成高分子化合物によって形成した二重管式熱交換器と、該二重管式熱交換器を自在な任意の形状に巻付け胴に巻き付けて組み立てた熱交エレメントを結束固定する覆い網と、該熱交エレメントを収納して水平集合あるいは垂直集合に供用できる機能を備え、熱交換容量に応じて段階的に増減させて集合体に構築する筐体と、筐体と熱交エレメントとの隙間部に充填する断熱材とを備えて成ることを特徴とする管式熱交換器。
【請求項２】
伝熱管を内包する外筒を胴体として、胴体の両端には伝熱管の管内外面流体の導入、排出を行うための接続チャンバーを設けると共に、伝熱管と胴体とは軟質合成高分子化合物にて形成した二重管式熱交換器を構成し、該二重管式熱交換器を巻付け胴に自在な任意の形状に巻き付け、覆い網によって結束固定して熱交エレメントを組み立て、次いで所定の機能検証を施した後、水平集合あるいは垂直集合に供用できる機能を備えた筐体内に断熱材を充填して熱交エレメントを収納し、該熱交エレメントを収納した筐体を熱交換容量に応じて段階的に増減させて集合体に構築することを特徴とした管式熱交換器の製法。
【手続補正３】
【補正対象書類名】図面
【補正対象項目名】全図
【補正方法】変更
【補正の内容】
【図１】
2011012888.tif 000007
【図２】
2011012888.tif 000008
【図３】
2011012888.tif 000009
【図４】
2011012888.tif 000010